【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
駐車権利を管理する方法であってコンピュータにより実行される方法であり、
１つの受取コンポーネントが、駐車権利を発行する要求を、複数の利用者のそれぞれから受け取るステップであって、要求それぞれが、駐車区域に関連付けられている一意の識別子と、一意の車両を識別するナンバープレート番号とを含んでいる、前記ステップと、
１つの集中型データベースが、各要求の、駐車区域に関連付けられている前記一意の識別子と、前記一意の車両を識別する前記ナンバープレート番号とを、前記集中型データベースに格納するステップと、
１つの駐車権利発行コンポーネントが、受け取った要求それぞれに基づいて、前記複数の利用者のそれぞれに対して駐車権利を発行するステップであって、前記駐車権利が駐車権利有効期限時刻を含んでおり、発行される前記駐車権利のそれぞれについて、前記集中型データベースにおいて、駐車権利有効期限時刻と、前記駐車区域に関連付けられている前記一意の識別子と、前記一意の車両を識別する前記ナンバープレート番号とをリンクする、前記ステップと、
前記ナンバープレート番号を確認する対象の複数の車両それぞれの、少なくとも１枚の写真を、ナンバープレート番号収集コンポーネントによって収集するステップと、
前記ナンバープレート番号収集コンポーネントが、前記駐車権利のステータスを確認する対象の前記複数の車両のナンバープレート番号を確認するステップと、
取り締まりコンポーネントが、前記駐車権利のステータスを確認する対象の前記複数の車両の前記ナンバープレート番号を、前記集中型データベースに格納されているナンバープレート番号と比較するステップと、
前記取り締まりコンポーネントが、前記複数の車両それぞれの前記ナンバープレート番号と前記集中型データベースに格納された前記ナンバープレート番号との一致により、前記駐車権利のステータスを確認する対象の前記複数の車両のそれぞれの前記ナンバープレート番号に対応する前記駐車権利が発行されているかを調べるステップと、
前記取り締まりコンポーネントが、駐車違反候補の前記複数の車両のそれぞれに対応する駐車権利違反フラグのリストを生成するステップと、
収集された前記少なくとも１枚の写真を、取締りグラフィカルユーザインタフェースモジュールに表示するステップと、
前記取締りグラフィカルユーザインタフェースモジュールを用いて、駐車違反候補の前記複数の車両のそれぞれについて、駐車権利違反フラグにより識別される違反が駐車違反切符に該当するかを判断するステップであって、前記判断が、潜在的な駐車違反の場所から離れた場所にて、リアルタイムではなく且つ一括処理で実施される、前記ステップと、
を含んでいる、方法。
【請求項２】
前記駐車権利のステータスを確認する対象の前記複数の車両の前記ナンバープレート番号に対応する前記駐車権利が発行されているかを調べる前記ステップが、
前記駐車権利のステータスを確認する対象の前記複数の車両のうち、一致するナンバープレート番号が前記集中型データベースに格納されているナンバープレート番号を有する前記複数の車両における各車両に対して、
前記駐車権利のステータスを確認する対象の前記車両が位置している前記駐車区域に関連付けられている前記一意の識別子を、前記集中型データベースに格納されている前記対応するナンバープレート番号にリンクされている前記駐車区域に関連付けられている前記一意の識別子と比較し、および、
前記駐車権利のステータスを確認する対象の前記車両が位置している前記駐車区域に関連付けられている前記一意の識別子が、前記集中型データベースに格納されている前記対応するナンバープレート番号にリンクされている前記駐車区域に関連付けられている前記一意の識別子に一致しており、かつ、前記集中型データベースに格納されている前記対応するナンバープレート番号にリンクされている前記駐車権利有効期限時刻を過ぎているならば、駐車権利違反フラグを生成し、または、
前記駐車権利のステータスを確認する対象の前記車両が位置している前記駐車区域に関連付けられている前記一意の識別子が、前記集中型データベースに格納されている前記対応するナンバープレート番号にリンクされている前記駐車区域に関連付けられている前記一意の識別子に一致していないならば、駐車権利違反フラグを生成する、
ステップと、
前記駐車権利のステータスを確認する対象の前記複数の車両のうち、前記集中型データベースに格納されている前記ナンバープレート番号のいずれにも一致しないナンバープレート番号を有する各車両に対して、駐車権利違反フラグを生成するステップと、
を含んでいる、請求項１に記載の方法。
【請求項３】
前記駐車権利を発行する前記要求を、前記複数の利用者のそれぞれから受け取るステップを、縁石脇機械、固定電話、携帯電話、携帯情報端末、自動車のナビゲーションシステム、およびＷｅｂ対応のデバイス、のうちの１つから受け取る、請求項１に記載の方法。
【請求項４】
前記駐車権利を発行する前記要求を、前記複数の利用者のそれぞれから受け取るステップが、縁石脇機械から受け取り、
前記駐車区域に関連付けられている前記一意の識別子と、前記一意の車両を識別する前記ナンバープレート番号と、購入する駐車時間量とを、前記利用者によって前記縁石脇機械において入力するステップであって、購入する前記駐車時間量によって前記駐車権利有効期限時刻が決まる、前記ステップ、
を含んでいる、
請求項１に記載の方法。
【請求項５】
前記縁石脇機械が少なくとも２つの駐車区域に専用である、請求項４に記載の方法。
【請求項６】
前記駐車権利を発行する前記要求を、前記複数の利用者のそれぞれから受け取るステップが、
前記一意の車両を識別する前記ナンバープレート番号と、通信装置の利用者を識別するための前記利用者の前記通信装置の一意の識別子とを、前記集中型データベースに登録するステップであって、前記一意の車両を識別する前記ナンバープレート番号と、前記通信装置の前記一意の識別子とが、前記集中型データベースにおいてひとつにリンクされる、前記ステップと、
前記集中型データベース内の、前記駐車区域に関連付けられている前記一意の識別子が、前記通信装置によって送信されたとき、前記駐車権利の発行を要求するステップと、
を含んでいる、
請求項１に記載の方法。
【請求項７】
前記駐車権利を発行する前記要求が支払情報をさらに含んでおり、前記支払情報が前記駐車権利有効期限時刻を決定する、請求項１に記載の方法。
【請求項８】
前記駐車権利を発行する前記要求がプロモーションコードをさらに含んでおり、前記プロモーションコードが前記利用者に割引を提供する、請求項１に記載の方法。
【請求項９】
前記受取コンポーネントが、前記駐車権利を終了させる要求を前記利用者から受け取るステップと、
前記駐車権利発行コンポーネントが、前記集中型データベースにおいて前記駐車権利有効期限時刻を修正するステップと、
をさらに含んでいる、請求項１に記載の方法。
【請求項１０】
前記駐車権利有効期限時刻が、駐車区域における最大利用可能時間に依存する、請求項１に記載の方法。
【請求項１１】
前記一意の車両を識別する前記ナンバープレート番号に関連付けられる駐車許可を前記集中型データベースに登録するステップ、
をさらに含んでいる、請求項１に記載の方法。
【請求項１２】
前記一意の車両を識別する前記ナンバープレート番号に関連付けられている前記利用者の連絡先情報を前記集中型データベースに登録するステップと、
前記一意の車両を識別する前記ナンバープレート番号に関連付けられている前記利用者の連絡先情報に基づいて、前記利用者に通知を送るステップと、
をさらに含んでいる、請求項１に記載の方法。
【請求項１３】
第２の一意の車両を識別する第２のナンバープレート番号を前記集中型データベースに登録するステップであって、前記第２の一意の車両を識別する前記第２のナンバープレート番号と前記通信装置の前記一意の識別子とが、前記要求の一部として前記利用者によって行われる選択に基づいて前記集中型データベースにおいてひとつにリンクされる、前記ステップ、
をさらに含んでいる、請求項６に記載の方法。
【請求項１４】
第２の通信装置の前記利用者を識別するための、前記利用者の前記第２の通信装置の第２の一意の識別子、を前記集中型データベースに登録するステップであって、前記一意の車両を識別する前記ナンバープレート番号と、前記第２の一意の車両を識別する前記第２のナンバープレート番号と、前記第２の通信装置の前記第２の一意の識別子とが、前記集中型データベースにおいてひとつにリンクされる、前記ステップ、
をさらに含んでいる、請求項１３に記載の方法。
【請求項１５】
第２の通信装置の前記利用者を識別するための、前記利用者の前記第２の通信装置の第２の一意の識別子、を前記集中型データベースに登録するステップであって、前記一意の車両を識別する前記ナンバープレート番号と、前記第２の通信装置の前記第２の一意の識別子とが、前記集中型データベースにおいてひとつにリンクされる、前記ステップ、
をさらに含んでいる、請求項６に記載の方法。
【請求項１６】
車両を特定するステップであって、特定する前記車両を識別する前記ナンバープレート番号に対応する駐車区域に関連付けられている一意の識別子を、前記集中型データベースに問い合わせて調べることによって特定する、前記ステップ、
をさらに含んでいる、請求項１に記載の方法。
【請求項１７】
前記駐車権利違反フラグを生成する場合に、前記駐車権利のステータスが確認された前記車両の登録されている所有者に駐車違反切符を送るステップ、
をさらに含んでいる、請求項２に記載の方法。
【請求項１８】
前記駐車権利違反フラグを生成する場合に、前記違反フラグによって識別される違反が駐車違反切符に該当するかを調べるうえで取締り員の裁量を許可するステップと、
前記違反フラグによって識別される前記違反が前記駐車違反切符に該当する場合、前記駐車権利のステータスが確認された前記車両の登録されている所有者に前記駐車違反切符を送るステップと、
をさらに含んでいる、請求項２に記載の方法。
【請求項１９】
前記駐車権利のステータスが確認された前記複数の車両の１つの前記ナンバープレート番号が、監視対象車両のリストのエントリに一致する場合に、前記駐車権利のステータスが確認された前記複数の車両の１つが盗難車であるかを調べるステップ、
をさらに含んでいる、請求項１に記載の方法。
【請求項２０】
前記一意の車両を識別する前記ナンバープレート番号に関連付けられている前記利用者の連絡先情報を前記集中型データベースに登録するステップと、
前記一意の車両を識別する前記ナンバープレート番号に関連付けられている前記利用者の連絡先情報に基づいて、プロモーションおよびキャンペーンの少なくとも一方を前記利用者に送るステップと、
をさらに含んでいる、請求項１に記載の方法。
【請求項２１】
前記一意の車両を識別する前記ナンバープレート番号に関連付けられている前記利用者に関する情報と、前記一意の車両に関する情報、の少なくとも一方を、前記集中型データベースに登録するステップと、
前記一意の車両を識別する前記ナンバープレート番号に関連付けられている前記利用者に関する情報と、前記一意の車両に関する情報、の前記少なくとも一方に基づいて、前記プロモーションおよび前記キャンペーンの前記少なくとも一方を前記利用者に送るステップと、
をさらに含んでいる、請求項２０に記載の方法。
【請求項２２】
駐車権利管理システムであって、
駐車権利を発行する要求を、複数の利用者のそれぞれから受け取る１つの受取コンポーネントであって、要求それぞれが、駐車区域に関連付けられている一意の識別子と、一意の車両を識別するナンバープレート番号とを含んでいる、前記受取コンポーネントと、
各要求の、前記駐車区域に関連付けられている前記一意の識別子と、前記一意の車両を識別する前記ナンバープレート番号、とが格納される１つの集中型データベースであって、前記受取コンポーネントが前記集中型データベースと通信する、前記集中型データベースと、
受け取った要求それぞれに基づいて、前記複数の利用者のそれぞれに対して駐車権利を発行する１つの駐車権利発行コンポーネントであって、前記駐車権利が駐車権利有効期限時刻を含んでおり、前記駐車権利発行コンポーネントが、発行される前記駐車権利のそれぞれについて、前記集中型データベースにおいて、前記駐車権利有効期限時刻と、前記駐車区域に関連付けられている前記一意の識別子と、前記一意の車両を識別する前記ナンバープレート番号とをリンクし、前記駐車権利発行コンポーネントが、前記集中型データベースと通信する、前記駐車権利発行コンポーネントと、
駐車権利のステータスを確認する対象の複数の車両それぞれの少なくとも１枚の写真とナンバープレート番号とを収集するカメラを含むナンバープレート番号収集コンポーネントであって、前記集中型データベースと通信する、前記ナンバープレート番号収集コンポーネントと、
前記駐車権利のステータスを確認する対象の前記複数の車両のそれぞれの前記ナンバープレート番号を、前記集中型データベースに格納されている前記ナンバープレート番号と比較する取締りコンポーネントであって、前記駐車権利のステータスを確認する対象の前記複数の車両のそれぞれの前記ナンバープレート番号に対応する前記駐車権利が発行されているかを、さらに調べ、駐車違反候補の前記複数の車両のそれぞれに対応する駐車権利違反フラグのリストを生成する、前記取締りコンポーネントと、
を備えており、
前記取締りコンポーネントは、駐車違反候補の前記複数の車両のそれぞれについての違反判断を実施する取締りグラフィカルユーザインタフェースモジュールを備えており、前記取締りグラフィカルユーザインタフェースモジュールは、前記少なくとも１枚の写真を表示し、前記違反判断は、潜在的な駐車違反の場所から離れた場所にて、リアルタイムではなく且つ一括処理で実施される、
駐車権利管理システム。
【請求項２３】
（ｉ）一致するナンバープレート番号が前記集中型データベースに格納されているナンバープレート番号を有する前記複数の車両のそれぞれの車両を特定し、前記集中型データベースに格納されているナンバープレート番号に一致するナンバープレート番号を有する車両のそれぞれに対して、
前記駐車権利のステータスを確認する対象の前記複数の車両のそれぞれが位置している前記駐車区域に関連付けられている前記一意の識別子を、前記集中型データベースに格納されている前記対応するナンバープレート番号にリンクされている前記駐車区域に関連付けられている前記一意の識別子と比較し、および、
前記駐車権利のステータスを確認する対象の前記車両が位置している前記駐車区域に関連付けられている前記一意の識別子が、前記集中型データベースに格納されている前記対応するナンバープレート番号にリンクされている前記駐車区域に関連付けられている前記一意の識別子に一致しており、かつ、前記集中型データベースに格納されている前記対応するナンバープレート番号にリンクされている前記駐車権利有効期限時刻を過ぎているならば、駐車権利違反フラグを生成し、または、
前記駐車権利のステータスを確認する対象の前記車両が位置している前記駐車区域に関連付けられている前記一意の識別子が、前記集中型データベースに格納されている前記対応するナンバープレート番号にリンクされている前記駐車区域に関連付けられている前記一意の識別子に一致していないならば、駐車権利違反フラグを生成し、
（ｉｉ）前記集中型データベースに格納されているナンバープレート番号と一致するナンバープレート番号を有しない前記複数の車両のそれぞれの車両を特定し、前記集中型データベースに格納されているナンバープレート番号と一致するナンバープレート番号を有しない車両のそれぞれに対し、駐車権利違反フラグを生成する、
ことにより、前記取締りコンポーネントが、駐車権利違反フラグを生成する、
請求項２２に記載の駐車権利管理システム。
【請求項２４】
前記駐車権利を発行する前記要求を前記受取コンポーネントに送る目的で、縁石脇機械、固定電話、携帯電話、携帯情報端末、自動車のナビゲーションシステム、およびＷｅｂ対応のデバイス、のうちの１つ、をさらに備えている、請求項２３に記載の駐車権利管理システム。
【請求項２５】
前記受取コンポーネントが、
前記一意の車両を識別する前記ナンバープレート番号と通信装置の一意の識別子とを、前記集中型データベースに登録し、前記一意の車両を識別する前記ナンバープレート番号と前記通信装置の前記一意の識別子とが前記集中型データベースにおいてひとつにリンクされ、
前記集中型データベース内の、前記駐車区域に関連付けられている前記一意の識別子が、前記通信装置によって送信されたとき、前記駐車権利の発行を要求する、
請求項２２に記載の駐車権利管理システム。
【請求項２６】
前記駐車権利違反フラグを生成する場合に、前記取締りコンポーネントが、前記駐車権利のステータスが確認された前記車両の登録されている所有者に駐車違反切符を送る、請求項２３に記載の駐車権利管理システム。
【請求項２７】
前記ナンバープレート番号収集コンポーネントがカメラを含んでおり、前記カメラが、前記駐車権利のステータスを確認する対象の、駐車区域に位置している前記複数の車両の前記ナンバープレート番号を撮影する、請求項２２に記載の駐車権利管理システム。
【請求項２８】
前記ナンバープレート番号収集コンポーネントが前記駐車権利のステータスを確認する対象の前記複数の車両が位置している駐車区域に関連付けられている一意の識別子を確認するステップ、
をさらに含んでいる、請求項１に記載の方法。
【請求項２９】
前記ナンバープレート番号収集コンポーネントが、前記駐車権利のステータスを確認する対象の前記複数の車両が位置している駐車区域に関連付けられている一意の識別子を収集する、請求項２２に記載の駐車権利管理システム。
【手続補正２】
【補正対象書類名】明細書
【補正対象項目名】００１２
【補正方法】変更
【補正の内容】
【００１２】
本発明の一態様は、駐車権利を管理する方法であってコンピュータにより実行される方法であり、１つの受取コンポーネントが、駐車権利を発行する要求を、複数の利用者のそれぞれから受け取るステップであって、要求それぞれが、駐車区域に関連付けられている一意の識別子と、一意の車両を識別するナンバープレート番号とを含んでいる、前記ステップと、１つの集中型データベースが、各要求の、駐車区域に関連付けられている前記一意の識別子と、前記一意の車両を識別する前記ナンバープレート番号とを、前記集中型データベースに格納するステップと、１つの駐車権利発行コンポーネントが、受け取った要求それぞれに基づいて、前記複数の利用者のそれぞれに対して駐車権利を発行するステップであって、前記駐車権利が駐車権利有効期限時刻を含んでおり、発行される前記駐車権利のそれぞれについて、前記集中型データベースにおいて、駐車権利有効期限時刻と、前記駐車区域に関連付けられている前記一意の識別子と、前記一意の車両を識別する前記ナンバープレート番号とをリンクする、前記ステップと、前記ナンバープレート番号を確認する対象の複数の車両それぞれの、少なくとも１枚の写真を、ナンバープレート番号収集コンポーネントによって収集するステップと、前記ナンバープレート番号収集コンポーネントが、前記駐車権利のステータスを確認する対象の前記複数の車両のナンバープレート番号を確認するステップと、取り締まりコンポーネントが、前記駐車権利のステータスを確認する対象の前記複数の車両の前記ナンバープレート番号を、前記集中型データベースに格納されているナンバープレート番号と比較するステップと、前記取り締まりコンポーネントが、前記複数の車両それぞれの前記ナンバープレート番号と前記集中型データベースに格納された前記ナンバープレート番号との一致により、前記駐車権利のステータスを確認する対象の前記複数の車両のそれぞれの前記ナンバープレート番号に対応する前記駐車権利が発行されているかを調べるステップと、前記取り締まりコンポーネントが、駐車違反候補の前記複数の車両のそれぞれに対応する駐車権利違反フラグのリストを生成するステップと、収集された前記少なくとも１枚の写真を、取締りグラフィカルユーザインタフェースモジュールに表示するステップと、前記取締りグラフィカルユーザインタフェースモジュールを用いて、駐車違反候補の前記複数の車両のそれぞれについて、駐車権利違反フラグにより識別される違反が駐車違反切符に該当するかを判断するステップであって、前記判断が、潜在的な駐車違反の場所から離れた場所にて、リアルタイムではなく且つ一括処理で実施される、前記ステップと、を含んでいる、方法である。
本発明の他の一態様は、駐車権利管理システムであって、駐車権利を発行する要求を、複数の利用者のそれぞれから受け取る１つの受取コンポーネントであって、要求それぞれが、駐車区域に関連付けられている一意の識別子と、一意の車両を識別するナンバープレート番号とを含んでいる、前記受取コンポーネントと、各要求の、前記駐車区域に関連付けられている前記一意の識別子と、前記一意の車両を識別する前記ナンバープレート番号、とが格納される１つの集中型データベースであって、前記受取コンポーネントが前記集中型データベースと通信する、前記集中型データベースと、受け取った要求それぞれに基づいて、前記複数の利用者のそれぞれに対して駐車権利を発行する１つの駐車権利発行コンポーネントであって、前記駐車権利が駐車権利有効期限時刻を含んでおり、前記駐車権利発行コンポーネントが、発行される前記駐車権利のそれぞれについて、前記集中型データベースにおいて、前記駐車権利有効期限時刻と、前記駐車区域に関連付けられている前記一意の識別子と、前記一意の車両を識別する前記ナンバープレート番号とをリンクし、前記駐車権利発行コンポーネントが、前記集中型データベースと通信する、前記駐車権利発行コンポーネントと、駐車権利のステータスを確認する対象の複数の車両それぞれの少なくとも１枚の写真とナンバープレート番号とを収集するカメラを含むナンバープレート番号収集コンポーネントであって、前記集中型データベースと通信する、前記ナンバープレート番号収集コンポーネントと、前記駐車権利のステータスを確認する対象の前記複数の車両のそれぞれの前記ナンバープレート番号を、前記集中型データベースに格納されている前記ナンバープレート番号と比較する取締りコンポーネントであって、前記駐車権利のステータスを確認する対象の前記複数の車両のそれぞれの前記ナンバープレート番号に対応する前記駐車権利が発行されているかを、さらに調べ、駐車違反候補の前記複数の車両のそれぞれに対応する駐車権利違反フラグのリストを生成する、前記取締りコンポーネントと、を備えており、前記取締りコンポーネントは、駐車違反候補の前記複数の車両のそれぞれについての違反判断を実施する取締りグラフィカルユーザインタフェースモジュールを備えており、前記取締りグラフィカルユーザインタフェースモジュールは、前記少なくとも１枚の写真を表示し、前記違反判断は、潜在的な駐車違反の場所から離れた場所にて、リアルタイムではなく且つ一括処理で実施される、駐車権利管理システムである。